【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
液化ガスを貯溜する貯蔵タンクと、
前記貯蔵タンクに貯溜された液化ガスのボイルオフガスを吸引して圧縮する第１圧縮機構と、
前記第１圧縮機構で圧縮された後のボイルオフガスを圧縮する第２圧縮機構と、
前記第２圧縮機構から吐出されたボイルオフガスが流れる吐出路と、
前記第１圧縮機構を駆動する第１駆動源と、
前記第１駆動源とは別個の駆動源であり、前記第２圧縮機構を駆動する第２駆動源と、
前記第２圧縮機構から吐出されたボイルオフガスを再液化して前記貯蔵タンクに戻す戻し部と、
を備え、
前記第１圧縮機構と前記第２圧縮機構とを接続する接続路から分岐した分岐路には、ボイルオフガスを需要先に供給するための第２供給口が設けられているボイルオフガス供給装置。
【請求項２】
前記戻し部は、前記貯蔵タンクに向かって流れる戻し路内のボイルオフガスを冷却する冷却部を有する請求項１に記載のボイルオフガス供給装置。
【請求項３】
前記冷却部は、前記戻し路内のボイルオフガスと、前記第１圧縮機構に吸入される前のボイルオフガスとを熱交換する熱交換器を有する請求項２に記載のボイルオフガス供給装置。
【請求項４】
前記吐出路には、ボイルオフガスの第１供給口が設けられ、
前記吐出路及び前記分岐路には、それぞれ開閉機構が設けられている請求項１に記載のボイルオフガス供給装置。
【請求項５】
前記第１圧縮機構は、複数段の圧縮機を有し、
前記第１駆動源は、前記複数段の圧縮機を一括して駆動するように構成されている請求項１又は４に記載のボイルオフガス供給装置。
【請求項６】
前記第２圧縮機構は、複数段の圧縮機を有し、
前記第２駆動源は、前記複数段の圧縮機を一括して駆動するように構成されている請求項５に記載のボイルオフガス供給装置。
【請求項７】
前記第１圧縮機構から吐出されたボイルオフガスが需要側に供給されるように構成されており、
前記第１圧縮機構の吐出側でのボイルオフガスの圧力を検出する圧力検出部と、
前記圧力検出部による検出圧力が、ボイルオフガスの需要量に応じて設定される目標圧力になるように前記第１圧縮機構の容量を制御する容量制御部を備えている請求項１から３の何れか１項に記載のボイルオフガス供給装置。
【請求項８】
前記第１圧縮機構から吐出されたボイルオフガスが需要側に供給されるように構成されており、
前記第１圧縮機構の吐出側から吸入側に戻すスピルバック機構と、
前記第１圧縮機構の吐出側でのボイルオフガスの圧力を検出する圧力検出部と、
前記圧力検出部の検出値が、ボイルオフガスの需要量に応じて設定される目標圧力になるように前記スピルバック機構を制御する容量制御部と、を備えている請求項１から３の何れか１項に記載のボイルオフガス供給装置。
【請求項９】
前記容量制御部は、前記圧力検出部の検出値が、ボイルオフガスの需要量に応じて設定される目標圧力になるように前記スピルバック機構を制御するとともに、前記第１圧縮機構の容量を制御するように構成されている請求項８に記載のボイルオフガス供給装置。
【請求項１０】
前記第１圧縮機構の吸入側でのボイルオフガスの圧力を検出する吸入側圧力検出部と、
前記吸入側圧力検出部によって検出されたガス圧力と、予め設定された閾値と、の比較結果に応じて、前記第２圧縮機構の容量を制御する戻し制御部と、を備える請求項７から９の何れか１項に記載のボイルオフガス供給装置。
【請求項１１】
前記容量制御部は、前記吸入側圧力検出部によって検出されたガス圧力が前記閾値と同値に設定され或いは前記閾値よりも低く設定された第２閾値よりも低いときに、前記第１圧縮機構によるガス圧縮量が少なくなるように前記第１圧縮機構の容量を制御するように構成されている請求項１０に記載のボイルオフガス供給装置。
【請求項１２】
前記第１圧縮機構の吸入側でのボイルオフガスの圧力を検出する吸入側圧力検出部と、
前記第１圧縮機構の吐出側でのボイルオフガスの圧力を検出する第１吐出側圧力検出部と、
前記第２圧縮機構の吐出側でのボイルオフガスの圧力を検出する第２吐出側圧力検出部と、
前記第１吐出側圧力検出部による検出値が、予め設定された第１目標圧力になるように前記第１圧縮機構の容量を制御する容量制御部と、を備え、
前記第２圧縮機構から吐出されたボイルオフガスが需要側に供給されるように構成されており、
前記第２吐出側圧力検出部によって検出されたガス圧力が第２目標圧力よりも高い場合には、前記吸入側圧力検出部による検出圧力が予め設定された閾値よりも低いことを条件として、前記第２圧縮機構によるガス圧縮量が少なくなるように前記第２圧縮機構の容量を制御する戻し制御部をさらに備えている、請求項１から３の何れか１項に記載のボイルオフガス供給装置。
【請求項１３】
前記戻し部は、流量制御弁を有しており
前記戻し制御部は、前記第２吐出側圧力検出部によって検出されたガス圧力が第２目標圧力よりも高い場合において、前記吸入側圧力検出部による検出圧力が前記閾値よりも高いときには、前記流量制御弁の開度を大きくするとともに前記第２圧縮機構によるガス圧縮量が多くなるように前記第２圧縮機構の容量を制御するように構成されている、請求項１２に記載のボイルオフガス供給装置。
【請求項１４】
前記戻し制御部は、前記第２吐出側ガス圧力検出部によって検出されたガス圧力が前記第２目標圧力よりも低い場合には、前記吸入側ガス圧力検出部によって検出されたガス圧力が前記閾値よりも高いことを条件として、前記第２圧縮機構によるガス圧縮量が多くなるように前記第２圧縮機構の容量を制御する、請求項１２又は１３に記載のボイルオフガス供給装置。
【請求項１５】
前記戻し部は、流量制御弁を有しており
前記戻し制御部は、前記第２吐出側ガス圧力検出部によって検出されたガス圧力が前記第２目標圧力よりも低い場合において、前記吸入側ガス圧力検出部によって検出されたガス圧力が前記閾値よりも低いときには、前記流量制御弁の開度を小さくするとともに前記第２圧縮機構によるガス圧縮量が少なくなるように前記第２圧縮機構の容量を制御するように構成されている、請求項１２のボイルオフガス供給装置。
【請求項１６】
前記貯蔵タンク内の圧力が高過ぎるときにボイルオフガスを排出する排出機構を備えて
いる請求項１から１５の何れか１項に記載のボイルオフガス供給装置。
【請求項１７】
圧縮機であって、請求項１から１６の何れか１項に記載のボイルオフガス供給装置に用いられる第１圧縮機である、圧縮機。
【請求項１８】
スクリュー圧縮機である、請求項１７に記載の圧縮機。
【請求項１９】
圧縮機であって、請求項１から１６の何れか１項に記載のボイルオフガス供給装置に用いられる第２圧縮機である、圧縮機。
【請求項２０】
往復動圧縮機である、請求項１９に記載の圧縮機。
【手続補正２】
【補正対象書類名】明細書
【補正対象項目名】０００６
【補正方法】変更
【補正の内容】
【０００６】
前記の目的を達成するため、本発明は、液化ガスを貯溜する貯蔵タンクと、前記貯蔵タンクに貯溜された液化ガスのボイルオフガスを吸引して圧縮する第１圧縮機構と、前記第１圧縮機構で圧縮された後のボイルオフガスを圧縮する第２圧縮機構と、前記第２圧縮機構から吐出されたボイルオフガスが流れる吐出路と、前記第１圧縮機構を駆動する第１駆動源と、前記第１駆動源とは別個の駆動源であり、前記第２圧縮機構を駆動する第２駆動源と、前記第２圧縮機構から吐出されたボイルオフガスを再液化して前記貯蔵タンクに戻す戻し部と、を備え、前記第１圧縮機構と前記第２圧縮機構とを接続する接続路から分岐した分岐路には、ボイルオフガスを需要先に供給するための第２供給口が設けられているボイルオフガス供給装置である。
【手続補正３】
【補正対象書類名】明細書
【補正対象項目名】０００７
【補正方法】変更
【補正の内容】
【０００７】
本発明では、第１圧縮機構と第２圧縮機構とは別個の駆動源によって駆動されるため、ボイルオフガスの需要及び液化ガスからのボイルオフガスの発生量に応じて、駆動源の駆動を別個に調整することができる。このため、ボイルオフガスの発生量に比してガスの需要が少ない時などは、第２圧縮機構を停止する等して、ボイルオフガスの需要に応じた最適な運転が可能となる。したがって、ボイルオフガスの発生量及び需要の変動に対応することができる。
また本発明では、貯蔵タンク内のボイルオフガスを第１圧縮機構によって吸引して、第２圧縮機構から吐出された後に液化させ、この液化したボイルオフガスが貯蔵タンクに戻される。このため、ボイルオフガスの需要が少ない場合に第１圧縮機構又は第２圧縮機構を継続して駆動させることにより、貯蔵タンク内のボイルオフガスを吸引することができ、これによって貯蔵タンク内の圧力が高くなり過ぎることを防止することができる。
【手続補正４】
【補正対象書類名】明細書
【補正対象項目名】０００８
【補正方法】変更
【補正の内容】
【０００８】
前記吐出路には、ボイルオフガスの第１供給口が設けられていてもよい。この場合、前記吐出路及び前記分岐路には、それぞれ開閉機構が設けられていてもよい。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００３８
【補正方法】変更
【補正の内容】
【００３８】
この態様では、ボイルオフガスの需要が少ない場合において、貯蔵タンク内の圧力が高くなり過ぎることを防止することができる。
本発明は、圧縮機であって、前記ボイルオフガス供給装置に用いられる第１圧縮機である、圧縮機である。
前記圧縮機はスクリュー圧縮機であってもよい。
本発明は、圧縮機であって、前記ボイルオフガス供給装置に用いられる第２圧縮機である、圧縮機である。
前記圧縮機は往復動圧縮機であってもよい。